【事件の表示】
　特許第３１７８５４０号「梯子型電気濾波器の封止方法」の請求項１に係る特許に対する特許異議の申立てについて、次のとおり決定する。
【結　論】
　訂正を認める。
　特許第３１７８５４０号の請求項１に係る特許を維持する。
【理　由】
【１】手続きの経緯
　本件特許第３１７８５４０号「梯子型電気濾波器の封止方法」の発明は、平成３年３月１２日に特許出願されたものであって、平成１３年４月１３日にその特許（請求項の数１）について設定登録がなされ、平成１３年６月１８日に特許公報が発行され、その後、その特許（請求項１）について平成１３年１２月１８日に雨山範子より特許異議の申立てがなされ、その全請求項について平成１４年２月２１日付で取消理由通知がなされ、その指定期間内である平成１４年４月２６日に訂正請求がなされたものである。
【２】訂正の適否について
（１）訂正の要旨
　訂正請求書により訂正する訂正事項は、特許請求の範囲の減縮及びこれに関連する明細書の記載事項における明りょうでない記載の釈明を目的とするものであって、その訂正内容は、要旨、以下のとおりである。
(1-1)訂正事項ａ
　特許請求の範囲の請求項１を以下のとおり訂正する。
「【請求項1】
　少なくとも一側面を開口させたケース内に、直列共振子及び並列共振子を収納し、該ケースの側面から、直列共振子または並列共振子と電気的に接続する複数の端子板の接続突片を突出させ、開口した側面には封止板で覆って、該封止板に前記接続突片を挿通し、さらに該封止板上に絶縁性封止材を充填した濾波回路の基本単位回路を構成する梯子型電気濾波器において、
　該ケースの開口に充填されたエポキシ樹脂を所要熱硬化温度未満の所定温度で加熱維持して予熱処理し、
これにより該エポキシ樹脂を半硬化させて、膨張空気がケース内に閉じ込められ、樹脂から脱気するのを防止するようにし、
し、これにより該エポキシ樹脂を完全硬化させることによって、ケースの開口を気密にした
(1-2)訂正事項ｂ
　段落番号「0006」を次のように訂正する。
「【課題を解決するための手段】
　本発明は、少なくとも一側面を開口させたケース内に、直列共振子及び並列共振子を収納し、該ケースの側面から、直列共振子または並列共振子と電気的に接続する複数の端子板の接続突片を突出させ、開口した側面には封止板で覆って、該封止板に前記接続突片を挿通し、さらに該封止板上に絶縁性封止材を充填した濾波回路の基本単位回路を構成する梯子型電気濾波器において、
　該ケースの開口に充填されたエポキシ樹脂を所要熱硬化温度未満の所定温度で加熱維持して予熱処理し、
これにより該エポキシ樹脂を半硬化させて、膨張空気がケース内に閉じ込められ、樹脂から脱気するのを防止するようにし、
し、これにより該エポキシ樹脂を完全硬化させることによって、ケースの開口を気密にした
（２）訂正の適否についての判断
＜訂正の目的の適否、新規事項の有無及び特許請求の範囲の拡張・変更の存否についての判断＞
(2-1)訂正の目的等
　本件訂正の要旨は、上記訂正事項ａ及びｂのとおりであって、その訂正事項ａの訂正内容は、特許請求の範囲の減縮を目的とし、また訂正事項ｂは前記訂正事項ａによる特許請求の範囲の減縮に伴なう明りょうでない記載の釈明を目的とするものである。
(2-2)検討
　以下、各訂正事項について検討する。
　(i)訂正事項ａは、請求項１に係る発明の構成である予熱処理及び熱硬化処理について、その構成を明確なものとなして構成を限定するものであって、特許請求の範囲の減縮にあたるものである。そして、この訂正は、段落【0007】において、「ケースの開口に液状のエポキシ樹脂を充填した後、該エポキシ樹脂に熱硬化温度未満の所要温度で予熱処理を施す。この工程にあって、該エポキシ樹脂を半硬化させる。その加熱によりケース内の空気が膨張するが、その膨張による空気圧は小さく、しかもエポキシ樹脂は半硬化状態にあるため、膨張空気が閉じ込められ、樹脂から脱気するのを防止する。そして続いて硬化温度以上の温度で硬化処理をすることによってエポキシ樹脂を完全硬化してケースの開口を気密にすることができる。」と記載されていたものである。
　(ii)訂正事項ｂは、前記特許請求の範囲を減縮することにより不明りょうとなる詳細な説明の欄について、この減縮に係わる構成についての詳細な説明の欄の記載を訂正するものであって、明りょうでない記載の釈明にあたるものである。そして、この訂正も前記(i)同様、段落【0007】に記載されていたものである。
　(iii)したがって、訂正事項ａ及びｂに係る訂正は、いずれも特許請求の範囲の減縮及び明りょうでない記載の釈明を目的とするものであり、新規事項を追加するものではなく、また請求項を追加するなど実質的に特許請求の範囲を拡張し又は変更するものとも認められない。
(2-3)まとめ
　以上のとおりであって、上記訂正は、特許法第１２０条の４第３項において準用する平成６年法律第１１６号による改正前の特許法第１２６条第１項ただし書き及び同条第２項の規定に適合するので、当該訂正を認める。
【３】本件特許発明
　訂正された特許請求の範囲の請求項１に係る発明は、以下のとおりである。
「【請求項1】
　少なくとも一側面を開口させたケース内に、直列共振子及び並列共振子を収納し、該ケースの側面から、直列共振子または並列共振子と電気的に接続する複数の端子板の接続突片を突出させ、開口した側面には封止板で覆って、該封止板に前記接続突片を挿通し、さらに該封止板上に絶縁性封止材を充填した濾波回路の基本単位回路を構成する梯子型電気濾波器において、
　該ケースの開口に充填されたエポキシ樹脂を所要熱硬化温度未満の所定温度で加熱維持して予熱処理し、
これにより該エポキシ樹脂を半硬化させて、膨張空気がケース内に閉じ込められ、樹脂から脱気するのを防止するようにし、
し、これにより該エポキシ樹脂を完全硬化させることによって、ケースの開口を気密にした
【４】特許異議申立てについて
　異議申立ての概要
　異議申立人雨山範子は、証拠方法として甲第1号証（実願平1-16047号（実開平2-106727号公報）のマイクロフィルム）、甲第2号証（特開昭61-54653号公報）及び甲第3号証（特公昭64-6538号公報）を提出し、概要、以下のとおり請求項１に係る発明についての特許を取り消すべきであると申立てるものである。
「本件特許発明は、出願前公知の甲第1号証に記載された発明に甲第2号証、または甲第3号証を組み合わせたものであるから、特許法第29条第2項の規定により特許を受けることができないものであり、特許法第113条第1項第2号の規定により取り消すべきものである。
　また、本件請求項1に係る特許発明は、特許法第36条第6項（注、改正前の5項）の規定により特許を受けることができないものであり、特許法第113条第1項第4号の規定により取り消すべきものである。」
【５】当審の判断
（１）特許法第３６条第５項違反について
　異議申立人雨山範子は、前記した記載不備の理由の詳細において、『報特許請求の範囲に、「エポキシ樹脂を所要熱硬化温度未満の所定温度で加熱維持して予熱処理し、その後に、該エポキシ樹脂を所要熱硬化温度以上に加熱して熱硬化処理を施す」と記載されている。しかしながらエポキシ樹脂の硬化条件は加熱温度および加熱維持時間の2つの条件によって決まるものであり、加熱維持時間を特定していない本件特許発明は、熱硬化温度を特定できるものではなく不明瞭である。』（特許異議申立書第7頁第8〜13行）と指摘している。
　しかしながら、異議申立人雨山範子が異議申立ての具体的理由で主張する「所要熱硬化温度」「予熱処理条件」「熱硬化処理条件」及び「予熱処理と熱硬化処理における差異」（特許異議申立書第7頁第14行〜第9頁第3行）について、本件特許発明における予熱処理と熱硬化処理の処理内容が特許請求の範囲に規定されたこと、すなわち予熱処理にあっては樹脂から脱気するのを防止する「半硬化」、熱硬化処理にあってはケースの開口を気密にする「完全硬化」と訂正されたことにより、本件特許明細書の記載に不備があるとはいえないものとなった。
　したがって、異議申立人雨山範子による特許法第３６条第５項の規定に違反する旨の主張は採用することができない。
（２）特許法第２９条第２項違反について
 (2-1)訂正明細書の請求項１に係る発明
　訂正明細書に記載された請求項１に係る発明（以下「本件訂正発明」という。）は、前記【３】記載のとおりである。
 (2-2)引用刊行物及び刊行物記載の発明
　異議申立てに係る引用刊行物（甲号証）は、以下のとおりである。
 (i)刊行物１．実願平1-16047号（実開平2-106727号公報）のマイクロフィルム（甲第１号証）
 (ii)刊行物２．特開昭61-54653号公報（甲第２号証）
 (iii)刊行物３．特公昭64-6538号公報（甲第３号証）
 (iv)刊行物４．「Emerson＆Cuming」ポリマー総合カタログ、P11〜12（甲第４号証）
 (2-2-1)上記刊行物１（実願平1-16047号（実開平2-106727号公報）のマイクロフィルム）には、「ケース1の収納空隙3内には、…。まずアース端子板9の上方には、…入力端子板6、肉厚の直列共振子4a、…肉薄の並列共振子5aが順次挿入される。また、アース端子板9の下方には…直列共振子4b、…出力端子板8、…並列共振子5b、…が順次挿入される。」（第7頁第18行目〜第8頁第11行目）、「第4、6図のように開口面2には封止板17を蕨入し、その挿通孔18a、18bに接続脚6t、8tを挿通させている。」（第9頁第7〜9行目）及び「封止板17を被着してから該封止板17上に工ポキシ樹脂等の封止剤19を注入することにより、電気濾波器Fが完成する。」（第10頁第5〜7行目）と記載され、またその第1図、第6図には本件特許公報の図1、図2に相当する構成と同一の分解斜視図が示されており、本件訂正発明の前提となる構成が開示されている。
 (2-2-2)上記刊行物２（特開昭61-54653号公報）は、電子部品用封止体に関するものであって、その第2頁左上欄第12〜14行目には「蓋部材に予め塗布させた封止剤を低温で予熱処理時に若干硬化させておくことにより、」と記載されており、また同頁左下欄第7行目〜右下欄第1行目には「エポキシ樹脂100重量部に…混練してペーストを作る。…前記ペーストを接着面にスクリーン印刷によって塗布する。然る後、ペースト中の溶剤を除去するため80℃に温度設定したオーブン中へ15時間入れておく。」と記載されている。さらに、同頁右下欄第6〜8行目には「その後、175℃に温度設定したオーブン中で約15分間加熱して封止剤2の硬化を行ない」、また第3頁右下欄第8〜11行目には「電子部品の封止時に封止剤の流れ性を抑制することができ、電子部品内あるいはスルーホールなどへ封止剤が流れ出して接続不良を生じることなく、かつ封着特性を劣化させることがない。」と記載されている。
 (2-2-3)上記刊行物３（特公昭64-6538号公報）には、半導体装置の製造方法に関するものであるが、その第3頁右欄第10〜13行目に「目的は、内部シリコーンゲルの熱膨張による応力発生を防止し、他の構成部品に悪影響を与えることがなく、信頼性を向上させることのできる半導体装置の製造方法を提供する」、また第4頁左欄第12〜21行目に「半製品がX（120℃〜130℃）の温度になったことを確認して（例えば、シリコーンゲル層22の表面温度が120℃〜130℃であることを測定する。）、約70〜80℃に予熱した封止用のエポキシ樹脂を注入する。すべての半製品に樹脂を注入し終えたら、半製品をX（120℃〜130℃）の温度から低下させることなく、130±5℃に設定したオーブンに入れる。（8）′最後に、Yの温度のオーブンにて8時間以上キュアして組立を完了する。」と記載されている。
 (2-2-4)上記刊行物４（「Emerson＆Cuming」ポリマー総合カタログ）には、エポキシ系接着剤の製品一覧表に硬化条件（時間と温度）が開示されている。
 (2-3)対比・判断
（対比）
　本件訂正発明と上記刊行物１に記載された発明とを対比すると、以下の一致点及び相違点を有するものと認められる。
（一致点）
「少なくとも一側面を開口させたケース内に、直列共振子及び並列共振子を収納し、該ケースの側面から、直列共振子または並列共振子と電気的に接続する複数の端子板の接続突片を突出させ、開口した側面には封止板で覆って、該封止板に前記接続突片を挿通し、さらに該封止板上に絶縁性封止材を充填した濾波回路の基本単位回路を構成する梯子型電気濾波器において、
　該ケースの開口に充填されたエポキシ樹脂を硬化させることによって、ケースの開口を気密にした梯子型電気濾波器の封止方法。」
（相違点）
(i)ケースの開口に充填されたエポキシ樹脂において、本願発明にあっては「所要熱硬化温度未満の所定温度で加熱維持して予熱処理し、
これにより該エポキシ樹脂を半硬化させて、膨張空気がケース内に閉じ込められ、樹脂から脱気するのを防止するようにし、
し、これにより該エポキシ樹脂を完全硬化させることによって、ケースの開口を気密にした
（検討）
　そこで、上記相違点(i)について検討すると、上記刊行物１に記載された発明においても、封止材として充填されたエポキシ樹脂は、通常「熱硬化温度以上に加熱して熱硬化処理を施す」ものであることが技術常識である。
　しかしながら、本件訂正発明における当該熱硬化処理の前処理（所要熱硬化温度未満の所定温度で加熱維持して予熱処理）は、「エポキシ樹脂を半硬化させて、膨張空気がケース内に閉じ込められ、樹脂から脱気するのを防止する」ものであり、熱硬化処理（エポキシ樹脂を完全硬化させる処理）を行う前の単なる加熱処理とは認められない。そして、前記甲第２号証乃至甲第３号証には、封止剤（封止材）としてのエポキシ樹脂の前処理（加熱処理）に係る技術的事項の記載が認められるものの、この前処理（加熱処理）は何れもケースの開口に充填する前のエポキシ樹脂に対する加熱処理であり、またその目的・作用もエポキシ樹脂を充填する際の流動性を抑制するための処理であって、本件訂正発明におけるケースの開口に充填された「エポキシ樹脂を半硬化させて、膨張空気がケース内に閉じ込められ、樹脂から脱気するのを防止する」との技術的事項に係る予熱処理（前処理）については何ら開示乃至示唆されていないものである。また、前記甲第４号証にもこの処理に係る構成は開示されていない。
（なお、取消理由通知において引用した刊行物の特開平2-87812号公報においても、この「エポキシ樹脂を半硬化させて、膨張空気がケース内に閉じ込められ、樹脂から脱気するのを防止する」との技術的事項に係る予熱処理（前処理）については何ら開示乃至示唆されていないものである。）
　したがって、本件訂正発明は、上記刊行物１乃至４に記載された発明に基づいて、当業者が容易になし得るものとは認められない。
 (2-4)まとめ
　以上のとおりであって、異議申立人雨山範子による異議申立ての理由について、本件明細書には記載不備があるとの異議申立ては理由があるものとすることはできず、また本件訂正発明（特許請求の範囲の請求項１に係る発明）は、異議申立人雨山範子が提出する甲第１号証乃至甲第３号証及び甲第４号証に基づいて当業者が容易に発明をすることができたものとは認めることができない。
　したがって、本件訂正発明（特許請求の範囲の請求項１に係る発明）についての特許は、特許法第３６条第５項の規定に違反してなされたものとも、また特許法第２９条第２項の規定に違反してなされたものともすることができない。
【６】むすび
　以上のとおりであるから、特許異議申立ての理由及び証拠方法によっては、本件特許請求の範囲の請求項１に係る発明についての特許を取り消すことができない。
　また、他に本件請求項１に係る発明についての特許を取り消すべき理由を発見しない。
　よって、結論のとおり決定する。
【異議決定日】
平成１４年５月３０日（２００２．５．３０）
【訂正の要旨】
訂正の要旨
　訂正事項１）
　請求項１を次のように訂正する。
「【請求項１】
　少なくとも一側面を開口させたケース内に、直列共振子及び並列共振子を収納し、該ケースの側面から、直列共振子または並列共振子と電気的に接続する複数の端子板の接続突片を突出させ、開口した側面には封止板で覆って、該封止板に前記接続突片を挿通し、さらに該封止板上に絶縁性封止材を充填した濾波回路の基本単位回路を構成する梯子型電気濾波器において、
　該ケースの開口に充填されたエポキシ樹脂を所要熱硬化温度未満の所定温度で加熱維持して予熱処理し、これにより該エポキシ樹脂を半硬化させて、膨張空気がケース内に閉じ込められ、樹脂から脱気するのを防止するようにし、その後に、該エポキシ樹脂を所要熱硬化温度以上に加熱して熱硬化処理を施し、これにより該エポキシ樹脂を完全硬化させることによって、ケースの開口を気密にしたことを特徴とする梯子型電気濾波器の封止方法。」
　訂正事項２）
　段落番号「０００６」を次のように訂正する。
「【課題を解決するための手段】
　本発明は、少なくとも一側面を開口させたケース内に、直列共振子及び並列共振子を収納し、該ケースの側面から、直列共振子または並列共振子と電気的に接続する複数の端子板の接続突片を突出させ、開口した側面には封止板で覆って、該封止板に前記接続突片を挿通し、さらに該封止板上に絶縁性封止材を充填した濾波回路の基本単位回路を構成する梯子型電気濾波器において、
　該ケースの開口に充填されたエポキシ樹脂を所要熱硬化温度未満の所定温度で加熱維持して予熱処理し、これにより該エポキシ樹脂を半硬化させて、膨張空気がケース内に閉じ込められ、樹脂から脱気するのを防止するようにし、その後に、該エポキシ樹脂を所要熱硬化温度以上に加熱して熱硬化処理を施し、これにより該エポキシ樹脂を完全硬化させることによって、ケースの開口を気密にしたものである。」
（５４）【発明の名称】
梯子型電気濾波器の封止方法
（５７）【特許請求の範囲】
　少なくとも一側面を開口させたケース内に、直列共振子及び並列共振子を収納し、該ケースの側面から、直列共振子または並列共振子と電気的に接続する複数の端子板の接続突片を突出させ、開口した側面には封止板で覆って、該封止板に前記接続突片を挿通し、さらに該封止板上に絶縁性封止材を充填した濾波回路の基本単位回路を構成する梯子型電気濾波器において、
　該ケースの開口に充填されたエポキシ樹脂を所要熱硬化温度未満の所定温度で加熱維持して予熱処理し、
これにより該エポキシ樹脂を半硬化させて、膨張空気がケース内に閉じ込められ、樹脂から脱気するのを防止するようにし、
し、これにより該エポキシ樹脂を完全硬化させることによって、ケースの開口を気密にし
【発明の詳細な説明】
　【０００１】
　【産業上の利用分野】
　本考案は、無線機等に用いられるものであって、ケース内に、直列共振子及び並列共振子を収納し、該ケースの側面から、直列共振子または並列共振子と電気的に接続する複数の端子板の接続突片を突出させてなる梯子型電気濾波器の封止方法封止材に関する。
　【０００２】
　【従来の技術】
　無線機等においては、小型化、薄型化が望まれている。そこで、これに対応するものとして、直列共振子または並列共振子を、ケース内に少数枚収納して、濾波回路の基本単位回路を構成し得るようにし、これによりケースを薄型とした梯子型電気濾波器が提案されている。この種の電気濾波機は、プリント基板の上部に実装し、ケースの側面から突出した端子板の接続突片を折り曲げ、プリント基板の所要導電路と接続して、所要の濾波回路を構成するものである。
　【０００３】
　上述の電気濾波器のケースは、絶縁材料からなる矩形状をしており、さらにはその側面を開口した形状をしている。該開口より収納空隙内に、所要回路を構成する各種の部材が挿入され、この後封止板が装着されて開口を被覆する。前記封止板の外面にはエポキシ樹脂からなる封止材が充填されることによって、前記ケース内の気密性を保持するようにしていた。
　【０００４】
　【発明が解決しようとする問題点】
　ところで、前記封止材の充填方法としては、前記ケースの開口に封止板を装着することによって形成された凹部にエポキシ樹脂を充填した後、該エポキシ樹脂を高温処理することによって硬化させるものである。このエポキシ樹脂は、熱硬化樹脂であって、梯子型電気濾波器をプリント基板上にリフロー半田付するために、その全体を高温で加熱する。このため、半田付時における樹脂特性の安定化を図るために耐熱性の高いエポキシ樹脂が適用され、その熱硬化温度は半田付温度よりも高い１２０℃程度の温度特性を有するものが適用される。そこで、従来は、熱硬化処理に際しては、１２０℃程度の高温に一度に加熱して、該エポキシ樹脂を硬化させるようにしていた。
　【０００５】
　上述の方法を用いた場合には、急激な高温処理に伴って、ケース内の空気が膨張し、未硬化状態のエポキシ樹脂から膨張空気が脱気するため、樹脂フクレやピンホールを発生し、ケース内の気密性が損なわれるといった問題点があった。このため、洗浄工程で洗浄液等が侵入して、電気的短絡を生ずる等、濾波器の破損や、特性の変化を招来していた。
　本発明は、上述の問題点に鑑みてなされたものであって、ケース内の気密性を向上し得る封止方法を提供することを目的とするものである。
　【０００６】
　【課題を解決するための手段】
　本発明は、少なくとも一側面を開口させたケース内に、直列共振子及び並列共振子を収納し、該ケースの側面から、直列共振子または並列共振子と電気的に接続する複数の端子板の接続突片を突出させ、開口した側面には封止板で覆って、該封止板に前記接続突片を挿通し、さらに該封止板上に絶縁性封止材を充填した濾波回路の基本単位回路を構成する梯子型電気濾波器において、
　該ケースの開口に充填されたエポキシ樹脂を所要熱硬化温度未満の所定温度で加熱維持して予熱処理し、
これにより該エポキシ樹脂を半硬化させて、膨張空気がケース内に閉じ込められ、樹脂から脱気するのを防止するようにし、
し、これにより該エポキシ樹脂を完全硬化させることによって、ケースの開口を気密にし
　【０００７】
　【作用】
　ケースの開口に液状のエポキシ樹脂を充填した後、該エポキシ樹脂に熱硬化温度未満の所要温度で予熱処理を施す。この工程にあって、該エポキシ樹脂を半硬化させる。その加熱によりケース内の空気が膨張するが、その膨張による空気圧は小さく、しかもエポキシ樹脂は半硬化状態にあるため、膨張空気が閉じ込められ、樹脂から脱気するのを防止する。そして続いて硬化温度以上の温度で硬化処理をすることによってエポキシ樹脂を完全硬化して
ケースの開口
　【０００８】
　【実施例】
　本発明の一実施例を図１〜３を用いて説明する。
　１は絶縁材料からなる薄型の矩形状ケースであって、その形成手段について説明する。
　【０００９】
　１は絶縁材料からなる薄型の方形状合成樹脂製ケースであって、一端縁から接続突片９ｔを突成したアース端子板９が一体的に組み付けられる。この組み付け手段としては、インサート成形により合成樹脂製ケース１とアース端子板９をその成形工程において一体化する手段が採用される。またこの合成樹脂製ケース１の収納空隙３内には、アース端子板９の上下に所要回路を構成する各種の部材が開口２から挿入される。
　【００１０】
　この収納部材の構成を説明する。まずアース端子板９の上方には、緩衝板１１，一側縁に接続突片６ｔを形成した入力端子板６，肉厚の直列共振子４ａ，中継端子板１０ａ，補助端子板１２及び肉薄の並列共振子５ａが順次挿入される。また、アース端子板９の下方には中継端子板１３ａ，絶縁板１４，中継端子板１０ｂ，直列共振子４ｂ，一側縁に接続突片８ｔを形成した出力端子板８，補助端子板１５，並列共振子５ｂ，中継端子板１３ｂ及び緩衝板１６が順次挿入される。前記中継端子板１０ａ，１０ｂは、その前よりの側部で連続部１０ｃにより一体化されている。また同じく中継端子板１３ａ，１３ｂも、その前より側端部で、連続部１３ｃにより一体化されている。そして、前記連続部１０ｃ，１３ｃが、他の部材と接触しないように、前記合成樹脂製ケース１の収納空隙３内において、入口部の両側に、前記連続部１０ｃ，１３ｃが位置する切欠部３ａ，３ｂが形成されている。
　【００１１】
　かかる構成にあって、開口２には封止板１７を嵌入し、その挿通孔１８ａ，１８ｂに接続突片６ｔ，８ｔを挿通させ、該封止板１７上にエポキシ樹脂１９を注入する。
　【００１２】
　このエポキシ樹脂１９は、次の本発明方法により硬化される。
　まずこの液状のエポキシ樹脂を封止板１７の表面に充填させた後、該エポキシ樹脂１９の温度を約７０℃に保ち、３時間かけて予熱処理させる。この予熱処理によって、ケース１内部の空気は、膨張しようとするが、その膨張による空気圧は小さく、しかもこの予備処理によってエポキシ樹脂は半硬化状態にあるから、膨張空気はケース内に閉じ込められ、樹脂から脱気されることはない。次に上述の処理の後、前記エポキシ樹脂１９の温度を、該エポキシ樹脂１９の熱硬化温度以上の温度である約１２０℃に上昇させ、この状態で２時間保持する。これにより該エポキシ樹脂１９は完全硬化され、前記開口２を気密に封止することとなる。
　【００１３】
　而して、電気濾波器Ｆが構成され、この電気濾波器Ｆは、濾波回路の基本単位回路となるものであって、ケース１の両側面から突出した端子板６，８，９の接続突片６ｔ，８ｔ，９ｔを折曲して、その端部をプリント基板ｐ上の所要導電路に半田付ｍを施して接続することにより、図３に示す濾波回路が構成される。
　【００１４】
　すなわち直列共振子４ａ，４ｂを接続突片６ｔ，８ｔを介して直列として出入力端２０，２１に接続するとともに、並列共振子５ａ，５ｂを接続突片９ｔにより、アース端子２４に接続し、夫々を並列接続する。而して、複数の電気濾波器Ｆを使用することにより濾波回路が構成されることとなる。
　【００１５】
　前記実施例では、各二枚の直列共振子または並列共振子からなる二つの基本回路を適用したものについて説明したが、共振子を各一枚または各三枚収納したもの等、本発明は、種々の数の基本単位回路を収納する濾波回路に適用できる。
　【００１６】
　本発明の方法によってケース１の開口部を封止した電気濾波器の気密性を一度に高温処理して、硬化させる従来の方法によって形成された電気濾波器の気密性と比較検討するために、以下の実験をおこなった。
　【００１７】
　すなわち、上述の本発明方法によって得られた電気濾波器を１０個用意し、該電気濾波器を温度５５℃、湿度９０〜９５％の雰囲気を有する恒温槽内に投入し、８時間放置し、その後、槽内から濾波器を取り出して、中心周波数（標準４５５ｋＨｚ＋１）、６ｄＢ帯域幅（標準４〜２０ｋＨｚ）、挿入損失（標準６ｄＢ以下）等を測定した。また、１２０℃，３時間の熱硬化処理のみによって、エポキシ樹脂１９を硬化させ、ケースの開口部を封止する従来の方法によって製造された電気濾波器を同数用意し、同様の検討を行なった。そして、この特性を比較することによって、湿分の侵入による諸特性の変化を検討した。
　【００１８】
　その結果、従来の方法によって製造された電気濾波器においては、そのすべてに湿分の侵入に伴う中心周波数、６ｄＢ帯域幅、挿入損失の著しい減少が認められ、使用不能の状態となった。一方、本発明の方法によって製造された電気濾波器においては、そのすべてにおいて、中心周波数，６ｄＢ帯域幅，挿入損失の変化は認められず、湿分の侵入のないことが示された。この結果は、本発明によって製造された電気濾波器は、そのケース内の気密性が従来の方法によって製造されたものに比べ、より優れていることを示している。
　【００１９】
　上述の結果から、本発明の電気濾波器は、その安定した気密性のために、悪条件にさらされても、該濾波器内に収納されている直列共振子や並列共振子が損傷を受けることがなく、確実な作動を行なうことが理解される。
　【００２０】
　【発明の効果】
　本発明は、上述のように、電気濾波器のケースの開口に充填して、該ケース内部の気密性を保持するための封止材であるエポキシ樹脂を、その硬化温度未満の温度で維持して予熱処理させることによって、ケース内の空気の膨張力を小さくするとともに、該エポキシ樹脂を一旦半硬化させてケース内の膨張空気が樹脂より脱気しないようにしたから、樹脂中でのフクレやピンホールの発生が抑制され、さらにその後、その温度を硬化温度以上に加熱して硬化させて封止し、前記ケース内の気密性を保持するようにしたから、従来のように、封止操作によって該エポキシ樹脂から気泡が発生し、その気密性が低下することはなく、このため、洗浄工程で洗浄液等が侵入して、電気的短絡を生ずるようなことはなく、安定した特性の梯子型電気濾波器を提供し得る優れた効果がある。
【図面の簡単な説明】
　【図１】
　本発明に用いる梯子型電気濾波器Ｆの分解斜視図である。　
　【図２】
　本発明に用いる梯子型電気濾波器Ｆの縦断縦断側面図である。
　【図３】
　本発明に用いる梯子型電気濾波器Ｆを実装した濾波回路図である。
　【符号の説明】
　　１　ケース
　　２　開口
　　４ａ　直列共振子
　　４ｂ　直列共振子
　　５ａ　並列共振子
　　５ｂ　並列共振子
　　６　端子板
　　８　端子板
　　９　端子板
　１７　封止板
　１８ａ　挿通孔
　１８ｂ　挿通孔
　１９　封止剤
　　Ｆ　梯子型電気濾波器